(57)【特許請求の範囲】
【請求項１】
ＮＣデータと金型配置情報とを比較することで金型段取りの要否判定を行うＮＣタレットパンチプレスの金型段取り方法において、
加工に先立ち、当該加工に用いる複数のＮＣデータ群を１つの加工スケジュールとして、この加工スケジュールの各ＮＣデータから金型情報を抽出する工程と、
抽出した前記加工スケジュールの金型情報を、タレット上の金型の位置確認に供するため、タレット上の同一位置については先行するＮＣデータの金型情報を優先して表示する工程と、
前記表示する金型情報を、前記加工スケジュールにおける金型段取りの要否判定に用いる仮想金型配置情報として登録する工程と、
加工の実行に際し、前記加工スケジュールの各ＮＣデータごとに前記仮想金型配置情報と逐次比較して、当該ＮＣデータに含まれる金型が当該仮想金型配置情報に含まれていないとき、前記抽出した金型情報の中から当該金型についての金型情報を選択して、タレットの金型交換に供するため表示する工程と、からなることを特徴とするＮＣタレットパンチプレスの金型段取り方法。
【請求項２】
複数の金型をタレットの各位置にセットし、ＮＣデータに基づいてタレット上の金型を選択して加工に使用するＮＣタレットパンチプレスにおいて、
加工に先立ち、当該加工に用いる複数のＮＣデータ群を１つの加工スケジュールとして、この加工スケジュールの各ＮＣデータから金型情報を抽出する工程と、
抽出した前記加工スケジュールの金型情報を、タレット上の金型の位置確認に供するため、タレット上の同一位置については先行するＮＣデータの金型情報を優先して表示する工程と、
前記表示する金型情報を前記加工スケジュールの仮想金型配置情報として登録する工程と、
加工の実行に際し、前記加工スケジュールの各ＮＣデータごとに前記仮想金型配置情報と逐次比較する工程と、
比較したＮＣデータに含まれる金型が前記仮想金型配置情報に含まれていないとき、前記抽出した金型情報の中から当該金型についての金型情報を選択して、タレットの金型交換に供するため表示する工程と、からなることを特徴とするＮＣタレットパンチプレスの金型段取り方法。
【請求項３】
前記タレットの金型交換に供するため表示する前記金型情報に基づいて、前記仮想金型配置情報を更新する工程を含むことを特徴とする請求項１または請求項２記載のＮＣタレットパンチプレスの金型段取り方法。
【請求項４】
ＮＣデータと金型配置情報とを比較することで金型段取りの要否判定を行うＮＣタレットパンチプレスの金型段取り装置において、
加工に先立ち、当該加工に用いる複数のＮＣデータ群を１つの加工スケジュールとして、この加工スケジュールの各ＮＣデータから金型情報を抽出する手段と、
抽出した前記加工スケジュールの金型情報を、タレット上の金型の位置確認に供するため、タレット上の同一位置については先行するＮＣデータの金型情報を優先して表示する手段と、
前記表示する金型情報を、前記加工スケジュールにおける金型段取りの要否判定に用いる仮想金型配置情報として登録する手段と、
加工の実行に際し、前記加工スケジュールの各ＮＣデータごとに前記仮想金型配置情報と逐次比較して、当該ＮＣデータに含まれる金型が当該仮想金型配置情報に含まれていないとき、前記抽出した金型情報の中から当該金型についての金型情報を選択して、タレットの金型交換に供するため表示する手段と、を備えていることを特徴とするＮＣタレットパンチプレスの金型段取り装置。
【請求項５】
複数の金型をタレットの各位置にセットし、ＮＣデータに基づいてタレット上の金型を選択して加工に使用するＮＣタレットパンチプレスにおいて、
加工に先立ち、当該加工に用いる複数のＮＣデータ群を１つの加工スケジュールとして、この加工スケジュールの各ＮＣデータから金型情報を抽出する手段と、
抽出した前記加工スケジュールの金型情報を、タレット上の金型の位置確認に供するため、タレット上の同一位置については先行するＮＣデータの金型情報を優先して表示する手段と、
前記表示する金型情報を前記加工スケジュールの仮想金型配置情報として登録する手段と、
加工の実行に際し、前記加工スケジュールの各ＮＣデータごとに前記仮想金型配置情報と逐次比較する手段と、
比較したＮＣデータに含まれる金型が前記仮想金型配置情報に含まれていないとき、前記抽出した金型情報の中から当該金型についての金型情報を選択して、タレットの金型交換に供するため表示する手段と、を備えていることを特徴とするＮＣタレットパンチプレスの金型段取り装置。
【請求項６】
前記タレットの金型交換に供するため表示する前記金型情報に基づいて、前記仮想金型配置情報を更新する手段を備えていることを特徴とする請求項４または請求項５記載のＮＣタレットパンチプレスの金型段取り装置。
【請求項７】
ＮＣデータと金型配置情報とを比較することで金型段取りの要否判定を行うＮＣタレットパンチプレスの金型段取りを実行させるためのプログラムを記録したコンピュータ読み取り可能な記録媒体であって、
加工に先立ち、当該加工に用いる複数のＮＣデータ群を１つの加工スケジュールとして、この加工スケジュールの各ＮＣデータから金型情報を抽出する処理と、
抽出した前記加工スケジュールの金型情報を、タレット上の金型の位置確認に供するため、タレット上の同一位置については先行するＮＣデータの金型情報を優先して表示する処理と、
前記表示する金型情報を、前記加工スケジュールにおける金型段取りの要否判定に用いる仮想金型配置情報として登録する処理と、
加工の実行に際し、前記加工スケジュールの各ＮＣデータごとに前記仮想金型配置情報と逐次比較して、当該ＮＣデータに含まれる金型が当該仮想金型配置情報に含まれていないとき、前記抽出した金型情報の中から当該金型についての金型情報を選択して、タレットの金型交換に供するため表示する処理と、をコンピュータに実行させるためのプログラムを記録したことを特徴とするコンピュータ読み取り可能な記録媒体。
【請求項８】
複数の金型をタレットの各位置にセットし、ＮＣデータに基づいてタレット上の金型を選択して加工に使用するＮＣタレットパンチプレスの金型段取りを実行させるためのプログラムを記録したコンピュータ読み取り可能な記録媒体であって、
加工に先立ち、当該加工に用いる複数のＮＣデータ群を１つの加工スケジュールとして、この加工スケジュールの各ＮＣデータから金型情報を抽出する処理と、
抽出した前記加工スケジュールの金型情報を、タレット上の金型の位置確認に供するため、タレット上の同一位置については先行するＮＣデータの金型情報を優先して表示する処理と、
前記表示する金型情報を前記加工スケジュールの仮想金型配置情報として登録する処理と、
加工の実行に際し、前記加工スケジュールの各ＮＣデータごとに前記仮想金型配置情報と逐次比較する処理と、
比較したＮＣデータに含まれる金型が前記仮想金型配置情報に含まれていないとき、前記抽出した金型情報の中から当該金型についての金型情報を選択して、タレットの金型交換に供するため表示する処理と、をコンピュータに実行させるためのプログラムを記録したことを特徴とするコンピュータ読み取り可能な記録媒体。
【請求項９】
前記タレットの金型交換に供するため表示する前記金型情報に基づいて、前記仮想金型配置情報を更新する処理を含むことを特徴とする請求項７または請求項８記載のプログラムを記録したコンピュータ読み取り可能な記録媒体。
【発明の詳細な説明】
【０００１】
【発明の属する技術分野】
この発明は、ＮＣタレットパンチプレスの金型段取り方法と、ＮＣタレットパンチプレスの金型段取り装置、並びにＮＣタレットパンチプレスの金型段取りを実行させるためのプログラムを記録したコンピュータ読み取り可能な記録媒体に関するものである。
【０００２】
【従来の技術】
一般に、ＮＣタレットパンチプレスは、所要の複数の金型をタレットの所定位置にセットし、選択して加工に使用するようになっている。
【０００３】
すなわち、自動プログラミング装置を用いる等により作成したＮＣデータに基づいて、ＮＣタレットパンチプレスに加工作業を行わせるにあたり、従来は、作業指示書で現場の作業者に、タレットの所定位置にセットすべき金型についての情報を手渡し、現場作業者はこの作業指示書に基づいて、タレットの所定位置に所要の金型をセットするとともに、加工に際して金型段取りの要否判定に用いるＮＣデータの金型情報との比較に供するため、固定的に設けた金型配置情報記憶装置に、タレットの金型配置情報を入力していた。
【０００４】
【発明が解決しようとする課題】
しかしながら、このような従来のものは、金型配置情報の入力操作が必要不可欠であることに加えて、入力ミスによって、ＮＣデータの金型情報と金型配置情報との間に、ズレ（不一致）が生じる場合がある。このようなズレがあると、オペレータが、金型配置情報のとおりにタレットの所定位置に所要の金型をセットしても、ＮＣデータの金型情報とタレット上の実際の金型配置とが一致せず、そのため、間違った金型によって加工が行われたり、金型段取りが不要であるにもかかわらず、金型段取り指令に応じて加工が中断してしまうことがあるという問題があった。
【０００５】
この発明の課題は、上記従来のもののもつ問題点を排除して、金型配置情報の入力操作が不要で、それにより、ＮＣデータの金型情報と金型配置情報との間に、入力ミスに起因した不一致をなくすことのできるＮＣタレットパンチプレスの金型段取り方法およびその装置、並びにＮＣタレットパンチプレスの金型段取りを実行させるためのプログラムを記録したコンピュータ読み取り可能な記録媒体を提供することにある。
【００１０】
【課題を解決する手段】
請求項１に係る発明は、ＮＣデータと金型配置情報とを比較することで金型段取りの要否判定を行うＮＣタレットパンチプレスの金型段取り方法において、加工に先立ち、当該加工に用いる複数のＮＣデータ群を１つの加工スケジュールとして、この加工スケジュールの各ＮＣデータから金型情報を抽出する工程と、抽出した前記加工スケジュールの金型情報を、タレット上の金型の位置確認に供するため、タレット上の同一位置については先行するＮＣデータの金型情報を優先して表示する工程と、前記表示する金型情報を、前記加工スケジュールにおける金型段取りの要否判定に用いる仮想金型配置情報として登録する工程と、加工の実行に際し、前記加工スケジュールの各ＮＣデータごとに前記仮想金型配置情報と逐次比較して、当該ＮＣデータに含まれる金型が当該仮想金型配置情報に含まれていないとき、前記抽出した金型情報の中から当該金型についての金型情報を選択して、タレットの金型交換に供するため表示する工程とからなるＮＣタレットパンチプレスの金型段取り方法である。
【００１３】
請求項２に係る発明は、複数の金型をタレットの各位置にセットし、ＮＣデータに基づいてタレット上の金型を選択して加工に使用するＮＣタレットパンチプレスにおいて、加工に先立ち、当該加工に用いる複数のＮＣデータ群を１つの加工スケジュールとして、この加工スケジュールの各ＮＣデータから金型情報を抽出する工程と、抽出した前記加工スケジュールの金型情報を、タレット上の金型の位置確認に供するため、タレット上の同一位置については先行するＮＣデータの金型情報を優先して表示する工程と、前記表示する金型情報を前記加工スケジュールの仮想金型配置情報として登録する工程と、加工の実行に際し、前記加工スケジュールの各ＮＣデータごとに前記仮想金型配置情報と逐次比較する工程と、比較したＮＣデータに含まれる金型が前記仮想金型配置情報に含まれていないとき、前記抽出した金型情報の中から当該金型についての金型情報を選択して、タレットの金型交換に供するため表示する工程とからなるＮＣタレットパンチプレスの金型段取り方法である。
【００１４】
請求項３に係る発明は、請求項１または請求項２記載の発明において、前記タレットの金型交換に供するため表示する前記金型情報に基づいて、前記仮想金型配置情報を更新する工程を含むＮＣタレットパンチプレスの金型段取り方法である。
【００１９】
請求項４に係る発明は、ＮＣデータと金型配置情報とを比較することで金型段取りの要否判定を行うＮＣタレットパンチプレスの金型段取り装置において、加工に先立ち、当該加工に用いる複数のＮＣデータ群を１つの加工スケジュールとして、この加工スケジュールの各ＮＣデータから金型情報を抽出する手段と、抽出した前記加工スケジュールの金型情報を、タレット上の金型の位置確認に供するため、タレット上の同一位置については先行するＮＣデータの金型情報を優先して表示する手段と、前記表示する金型情報を、前記加工スケジュールにおける金型段取りの要否判定に用いる仮想金型配置情報として登録する手段と、加工の実行に際し、前記加工スケジュールの各ＮＣデータごとに前記仮想金型配置情報と逐次比較して、当該ＮＣデータに含まれる金型が当該仮想金型配置情報に含まれていないとき、前記抽出した金型情報の中から当該金型についての金型情報を選択して、タレットの金型交換に供するため表示する手段とを備えているＮＣタレットパンチプレスの金型段取り装置である。
【００２２】
請求項５に係る発明は、複数の金型をタレットの各位置にセットし、ＮＣデータに基づいてタレット上の金型を選択して加工に使用するＮＣタレットパンチプレスにおいて、加工に先立ち、当該加工に用いる複数のＮＣデータ群を１つの加工スケジュールとして、この加工スケジュールの各ＮＣデータから金型情報を抽出する手段と、抽出した前記加工スケジュールの金型情報を、タレット上の金型の位置確認に供するため、タレット上の同一位置については先行するＮＣデータの金型情報を優先して表示する手段と、前記表示する金型情報を前記加工スケジュールの仮想金型配置情報として登録する手段と、加工の実行に際し、前記加工スケジュールの各ＮＣデータごとに前記仮想金型配置情報と逐次比較する手段と、比較したＮＣデータに含まれる金型が前記仮想金型配置情報に含まれていないとき、前記抽出した金型情報の中から当該金型についての金型情報を選択して、タレットの金型交換に供するため表示する手段とを備えているＮＣタレットパンチプレスの金型段取り装置である。
【００２３】
請求項６に係る発明は、請求項４または請求項５記載の発明において、前記タレットの金型交換に供するため表示する前記金型情報に基づいて、前記仮想金型配置情報を更新する手段を備えているＮＣタレットパンチプレスの金型段取り装置である。
【００２８】
請求項７に係る発明は、ＮＣデータと金型配置情報とを比較することで金型段取りの要否判定を行うＮＣタレットパンチプレスの金型段取りを実行させるためのプログラムを記録したコンピュータ読み取り可能な記録媒体であって、加工に先立ち、当該加工に用いる複数のＮＣデータ群を１つの加工スケジュールとして、この加工スケジュールの各ＮＣデータから金型情報を抽出する処理と、抽出した前記加工スケジュールの金型情報を、タレット上の金型の位置確認に供するため、タレット上の同一位置については先行するＮＣデータの金型情報を優先して表示する処理と、前記表示する金型情報を、前記加工スケジュールにおける金型段取りの要否判定に用いる仮想金型配置情報として登録する処理と、加工の実行に際し、前記加工スケジュールの各ＮＣデータごとに前記仮想金型配置情報と逐次比較して、当該ＮＣデータに含まれる金型が当該仮想金型配置情報に含まれていないとき、前記抽出した金型情報の中から当該金型についての金型情報を選択して、タレットの金型交換に供するため表示する処理とをコンピュータに実行させるためのプログラムを記録したコンピュータ読み取り可能な記録媒体である。
【００３１】
請求項８に係る発明は、複数の金型をタレットの各位置にセットし、ＮＣデータに基づいてタレット上の金型を選択して加工に使用するＮＣタレットパンチプレスの金型段取りを実行させるためのプログラムを記録したコンピュータ読み取り可能な記録媒体であって、加工に先立ち、当該加工に用いる複数のＮＣデータ群を１つの加工スケジュールとして、この加工スケジュールの各ＮＣデータから金型情報を抽出する処理と、抽出した前記加工スケジュールの金型情報を、タレット上の金型の位置確認に供するため、タレット上の同一位置については先行するＮＣデータの金型情報を優先して表示する処理と、前記表示する金型情報を前記加工スケジュールの仮想金型配置情報として登録する処理と、加工の実行に際し、前記加工スケジュールの各ＮＣデータごとに前記仮想金型配置情報と逐次比較する処理と、比較したＮＣデータに含まれる金型が前記仮想金型配置情報に含まれていないとき、前記抽出した金型情報の中から当該金型についての金型情報を選択して、タレットの金型交換に供するため表示する処理とをコンピュータに実行させるためのプログラムを記録したコンピュータ読み取り可能な記録媒体である。
【００３２】
請求項９に係る発明は、請求項７または請求項８記載の発明において、前記タレットの金型交換に供するため表示する前記金型情報に基づいて、前記仮想金型配置情報を更新する処理を含むプログラムを記録したコンピュータ読み取り可能な記録媒体である。
【００３３】
【発明の実施の形態】
この発明の実施の形態を、図面を参照して説明する。
図１は、この発明によるＮＣタレットパンチプレスの金型段取り装置の一実施の形態を示すブロック図であり、このＮＣタレットパンチプレスの金型段取り装置１は、実質的にコンピュータで構成されるものであって、処理装置（ＣＰＵ）１０、記憶装置３０、入力装置４０および表示装置５０を備えている。また、図１において、６０はＮＣデータファイル、７０はＮＣタレットパンチプレス本体である。
【００３４】
処理装置（ＣＰＵ）１０は、描画処理部１１を備え、また、ＮＣデータ読み込み処理部１２、金型情報抽出処理部１３および仮想金型配置設定処理部１４を備え、さらに、ＮＣデータ／仮想金型配置・比較処理部２１および金型段取り設定処理部２２を備えている。
【００３５】
記憶装置３０は、ＮＣデータ記憶部３１、金型情報記憶部３２および仮想金型配置情報記憶部３３を備えている。
【００３６】
入力装置４０は、マウス、キーボード等を備えた入力操作用のものであり、表示装置５０は、ＣＲＴ、ＬＣＤ等の画像表示用のものである。
【００３７】
処理装置（ＣＰＵ）１０において、ＮＣデータ読み込み処理部１２は、加工に先立ち、オペレータが入力装置４０を使って所定の起動操作をすると、ＮＣデータファイル６０から加工に用いるＮＣデータを読み込んで、そのＮＣデータをＮＣデータ記憶部３１に保存するものである。加工に用いるＮＣデータが、例えばＡ、Ｂ、Ｃ、Ｄの４つのＮＣデータからなるときは、そのＮＣデータをすべて読み込んで、Ａ、Ｂ、Ｃ、Ｄに分けて保存するようになっている。
【００３８】
金型情報抽出処理部１３は、ＮＣデータ記憶部３１を参照して、ＮＣデータ読み込み処理部１２が読み込んだＮＣデータから金型情報を抽出するものである。ＮＣデータ記憶部３１を参照して得たＮＣデータが、Ａ、Ｂ、Ｃ、Ｄの４つのＮＣデータからなるときは、その４つのＮＣデータＡ、Ｂ、Ｃ、Ｄを１つの加工スケジュールとして、この加工スケジュールの各ＮＣデータからすべての金型情報を抽出するものであり、抽出した金型情報は金型情報記憶部３２に保存されるようになっている。すなわち、４つのＮＣデータＡ、Ｂ、Ｃ、Ｄの金型情報が、例えば図２に示すようなものであるときは、そのすべての金型情報が金型情報記憶部３２に保存されるものである。
【００３９】
仮想金型配置設定処理部１４は、金型情報記憶部３２を参照して、抽出した加工スケジュールの金型情報を仮想金型配置情報として設定するものであり、タレット上の同一位置については、先行するＮＣデータの金型情報を優先して設定するようになっている。すなわち、加工スケジュールの金型情報が、例えば図２に示すようなものであるときは、その加工スケジュールで用いるＴ番号は、Ｔ２０１、Ｔ２０２、Ｔ２１１、Ｔ２１２、Ｔ２１３、Ｔ２１４、Ｔ２１５の７つであり、そのうちＴ２０１の金型は、ＮＣデータＡのもの（丸１０φ）とＮＣデータＣのもの（角８□）とで相違しているが、このような場合は、先に使用するＮＣデータＡの金型（丸１０φ）を優先して、図３に示すように、Ｔ番号の順に設定するようになっている。
【００４０】
そして、仮想金型配置設定処理部１４は、設定した仮想金型配置情報を、タレット上の金型の位置確認に供するために、描画処理部１１を介して表示装置５０に画面表示させるとともに、加工スケジュールにおける金型段取りの要否判定に用いる仮想金型配置情報として、仮想金型配置情報記憶部３３に登録するようになっている。
【００４１】
ＮＣデータ／仮想金型配置・比較処理部２１は、加工の実行に際し、オペレータが入力装置４０を使って所定の加工開始指令操作をすると、ＮＣデータ記憶部３１を参照するとともに、仮想金型配置情報記憶部３３を参照して、加工スケジュールの各ＮＣデータ（Ａ、Ｂ、Ｃ、Ｄ）ごとに、ＮＣデータと仮想金型配置情報とを逐次比較するものである。そして、比較したＮＣデータに含まれる金型が仮想金型配置情報に含まれているとき（ＮＣデータＡ、Ｂ、Ｄ）は、そのＮＣデータをＮＣタレットパンチプレス本体７０の制御部へ転送して、そのＮＣデータに基づく加工を実行させ、また、比較したＮＣデータに含まれる金型が仮想金型配置情報に含まれていないとき（ＮＣデータＣ）は、加工中断指令をＮＣタレットパンチプレス本体７０の制御部へ送って、加工を一時中断させるようになっている。
【００４２】
金型段取り設定処理部２２は、ＮＣデータ／仮想金型配置・比較処理部２１がＮＣタレットパンチプレス本体７０の加工を一時中断させたとき、金型情報記憶部３２および仮想金型配置情報記憶部３３を参照して、抽出した金型情報の中から、比較したＮＣデータ（Ｃ）に含まれていて仮想金型配置情報に含まれていない金型（Ｔ２０１の角８□）についての金型情報を選択し、その選択した金型情報を金型段取り情報として設定するものである。
【００４３】
そして、金型段取り設定処理部２２は、設定した金型段取り情報を、タレットの金型交換に供するために、描画処理部１１を介して表示装置５０に画面表示させるとともに、その後の加工スケジュールにおける金型段取りの要否判定に用いる仮想金型配置情報として、仮想金型配置情報記憶部３３に更新登録するようになっている。
【００４４】
次に、上記の実施の形態の作用について、図６に示すフローチャートを用いて説明する。
【００４５】
まず、加工に先立ち、オペレータが入力装置４０を使って所定の起動操作をすると（ステップＳ１）、ＮＣデータ読み込み処理部１２が、ＮＣデータファイル６０から加工に用いるＮＣデータ（例えばＡ、Ｂ、Ｃ、Ｄ）を読み込み、金型情報抽出処理部１３が、これらのＮＣデータを１つの加工スケジュールとして、各ＮＣデータからすべての金型情報を抽出する（ステップＳ２）。
【００４６】
すると、仮想金型配置設定処理部１４が、加工スケジュールの金型情報から、タレット上の同一位置については先行するＮＣデータの金型情報を優先させた仮想金型配置情報を設定して、タレット上の金型の位置確認に供するために表示する（ステップＳ３）。
【００４７】
また、仮想金型配置設定処理部１４が、設定した仮想金型配置情報を、加工スケジュールにおける金型段取りの要否判定に用いる仮想金型配置情報として登録する（ステップＳ４）。
【００４８】
そこで、オペレータは、表示された仮想金型配置情報を見て、その仮想金型配置のとおりにタレットの所定位置に所定の金型をセットする（ステップＳ５）。
【００４９】
つぎに、加工の実行に際し、オペレータが入力装置４０を使って所定の加工開始指令操作をすると（ステップＳ６）、ＮＣデータ／仮想金型配置・比較処理部２１が、加工スケジュールの各ＮＣデータ（Ａ、Ｂ、Ｃ、Ｄ）ごとに、ＮＣデータと仮想金型配置情報とを逐次比較する（ステップＳ７）。
【００５０】
そして、比較したＮＣデータに含まれる金型が仮想金型配置情報に含まれているとき、すなわち、金型段取りの必要がないとき（ステップＳ８のＮＯ）は、ＮＣデータ／仮想金型配置・比較処理部２１が、そのＮＣデータをＮＣタレットパンチプレス本体７０の制御部へ転送する（ステップＳ１１）。この場合は、ＮＣタレットパンチプレス本体７０が、そのＮＣデータにしたがって所定の加工を実行することとなる。
【００５１】
一方、比較したＮＣデータに含まれる金型が仮想金型配置情報に含まれていないとき、すなわち、金型段取りが必要であるとき（ステップＳ８のＹＥＳ）は、ＮＣデータ／仮想金型配置・比較処理部２１が、加工中断指令をＮＣタレットパンチプレス本体７０の制御部へ送って、加工を一時中断させる（ステップＳ２１）とともに、金型段取り設定処理部２２が、設定した金型段取り情報を、タレットの金型交換に供するために表示し（ステップＳ２２）、また、仮想金型配置情報を更新する（ステップＳ２３）。
【００５２】
そこで、オペレータは、表示された金型段取り情報を見て、その金型段取りのとおりにタレットの所定位置にある金型を所定のものに交換する（ステップＳ５）。
【００５３】
そして、加工スケジュールに含まれるすべてのＮＣデータがＮＣタレットパンチプレス本体７０へ転送され終わるまで、上記のステップを繰り返したのち（ステップＳ１２）、終了することとなる。
【００５４】
そのため、図２に示すような金型情報をもった４つのＮＣデータＡ、Ｂ、Ｃ、Ｄを１つの加工スケジュールとして、図３に示すような仮想金型配置情報に基づいて加工を開始した場合は、ＮＣデータＡおよびＮＣデータＢの加工が終了するまで、金型段取りを行わずに加工が実行される。
【００５５】
そして、ＮＣデータＣの加工に移る際に、図４に示すような金型段取り情報が表示される。
【００５６】
これに応じて、オペレータが指示されたとおりの金型段取り作業を行なって、加工を再開すると、ＮＣデータＣの加工が実行される。
【００５７】
そして、ＮＣデータＤの加工に必要な金型は最初にセット済みであるから、ＮＣデータＣの加工終了に続いて、ＮＣデータＤの加工が実行され、その結果、加工スケジュールに含まれるすべてのＮＣデータＡ、Ｂ、Ｃ、Ｄの加工が終了することとなる。
【００５８】
図７は、上記のようなＮＣタレットパンチプレスの金型段取りを実行させるためのプログラムを記録したコンピュータ読み取り可能な記録媒体の一例としてＣＤ−ＲＯＭ２を示したものであり、ＣＤ−ＲＯＭ２に格納されたＮＣタレットパンチプレスの金型段取りを実行させるためのプログラムは、ＣＤ−ＲＯＭドライブ３にセットされて所定の読み出し動作が行われることで、コンピュータシステム（ＮＣタレットパンチプレスの金型段取り装置１）にインストールされるものである。
【００５９】
ＣＤ−ＲＯＭ２に記録されたプログラムは、ＮＣデータと金型配置情報とを比較することで金型段取りの要否判定を行うＮＣタレットパンチプレスの金型段取りを実行させるものであって、加工に先立ち、当該加工に用いる複数のＮＣデータ群を１つの加工スケジュールとして、この加工スケジュールの各ＮＣデータから金型情報を抽出する処理と、抽出した前記加工スケジュールの金型情報を、タレット上の金型の位置確認に供するため、タレット上の同一位置については先行するＮＣデータの金型情報を優先して表示する処理と、前記表示する金型情報を、前記加工スケジュールにおける金型段取りの要否判定に用いる仮想金型配置情報として登録する処理と、加工の実行に際し、前記加工スケジュールの各ＮＣデータごとに前記仮想金型配置情報と逐次比較して、当該ＮＣデータに含まれる金型が当該仮想金型配置情報に含まれていないとき、前記抽出した金型情報の中から当該金型についての金型情報を選択して、タレットの金型交換に供するため表示する処理とをコンピュータに実行させるためのプログラムである。
【００６０】
このようなプログラムを記録する記録媒体は、ＣＤ−ＲＯＭ２に限定するものでなく、例えば、各種のディスクメモリ、半導体メモリその他適宜のものを使用することが可能である。
【００６１】
なお、上記の実施の形態では、４つのＮＣデータＡ、Ｂ、Ｃ、Ｄを１つの加工スケジュールとして構成したが、これに限定するものでなく、例えば、単一のＮＣデータについても適用することが可能である。
【００６２】
【発明の効果】
この発明は以上のように、加工に先立ち、ＮＣデータから金型情報を抽出し、その金型情報を、金型段取りの要否判定に用いる仮想金型配置情報として登録するように構成したので、金型配置情報の入力操作が不要で、それにより、ＮＣデータの金型情報と仮想金型配置情報との間に、入力ミスに起因した不一致をなくすことができ、そのため、オペレータが、仮想金型配置情報のとおりにタレットの所定位置に所要の金型をセットすることで、ＮＣデータの金型情報とタレット上の実際の金型配置とを完全に一致させることができ、その結果、間違った金型による加工や、間違った金型段取り指令による加工の中断を、未然に防止することができる効果がある。
【図面の簡単な説明】
【図１】ＮＣタレットパンチプレスの金型段取り装置の一実施の形態を示すブロック図である。
【図２】加工に用いる複数のＮＣデータ群の一例を示す説明図である。
【図３】図２のＮＣデータ群について設定される仮想金型配置情報の表示と、タレット上の金型セット位置との関係を示す説明図である。
【図４】図２のＮＣデータ群について加工途中で交換される金型段取り情報の表示を示す説明図である。
【図５】図２のＮＣデータ群について金型交換後の仮想金型配置情報の内容を示す説明図である。
【図６】図１のものの動作を示すフローチャートである。
【図７】ＮＣタレットパンチプレスの金型段取りを実行させるためのプログラムを記録したコンピュータ読み取り可能な記録媒体の一例を示す説明図である。
【符号の説明】
１  ＮＣタレットパンチプレスの金型段取り装置
２  ＣＤ−ＲＯＭ
３  ＣＤ−ＲＯＭドライブ
１０  処理装置（ＣＰＵ）
１１  描画処理部
１２  ＮＣデータ読み込み処理部
１３  金型情報抽出処理部
１４  仮想金型配置設定処理部
２１  ＮＣデータ／仮想金型配置・比較処理部
２２  金型段取り設定処理部
３０  記憶装置
３１  ＮＣデータ記憶部
３２  金型情報記憶部
３３  仮想金型配置情報記憶部
４０  入力装置
５０  表示装置
６０  ＮＣデータファイル
７０  ＮＣタレットパンチプレス本体
【図１】
0004598211.tif 000002
【図２】
0004598211.tif 000003
【図３】
0004598211.tif 000004
【図４】
0004598211.tif 000005
【図５】
0004598211.tif 000006
【図６】
0004598211.tif 000007
【図７】
0004598211.tif 000008